(57)【特許請求の範囲】
【請求項１】
少なくとも上面を有し、内部に空間を形成する本体と、
前記本体の上面に配設される把持部と、を備え、
前記上面は折れ線が形成される一対の折れ部を含み、
前記折れ線に沿って折れて一対の前記折れ部が凹むことで、前記上面が前記本体の内部空間を密閉しながら前記本体の内側に凹み前記把持部から離間され、
前記本体は、
前記上面から下側に延びる側面と、
前記側面の下端に設けられる下面と、を備え、
前記上面、前記側面及び前記下面は、一体的に形成されることを特徴とする包装用箱体。
【請求項２】
前記把持部は、
前記本体を取り囲むバンド状のものであることを特徴とする請求項１に記載の包装用箱体。
【請求項３】
前記上面は、
前記一対の折れ部を繋ぐ繋ぎ部を更に備えることを特徴とする請求項１に記載の包装用箱体。
【請求項４】
前記折れ線は、
左右対称状であり、前記上面の外側部分から前記上面の中央部分に近接するように設けられることを特徴とする請求項１に記載の包装用箱体。
【発明の詳細な説明】
【技術分野】
【０００１】
本発明は、包装用箱体に係り、更に詳しくは、内部空間の密閉力を保ちながらユーザーが把持部を把持し易くする包装用箱体に関する。
【背景技術】
【０００２】
一般に、果物や穀物などの様々な物品を一括して運ぶためには、六面体などの形状を有する箱体が活用される。このとき、箱体は、下面及び側面が密閉され、上面が開放された状態で内部に物品が入れられた後、上面が密閉された後に運ばれる。
このとき、ユーザーは、六面体状の箱体を持ち上げた後、両手で箱体の下面を支えて箱体を持ち上げた状態で移動する。ところが、箱体の体積が大きいか、或いは、箱体の内部に収容される物品の荷重が大きい場合には、上述したように箱体を持ち上げることが非常に困難である。
【０００３】
このため、従来には、箱体に把持部を設けていたが、例えば、箱体の密閉力を保って製品の離脱を防ぎながらも把持部として活用可能なバンドを箱体に配設することが一般的に行われている。このとき、バンドは、弾性及び引張り力はもとより、耐腐食性、耐熱性、安全性、環境へのやさしさを有さなければならないため、ポリプロピレン製バンド（Ｐ．ＰＢＡＮＤ）が主として用いられる。
ところが、バンドは、箱体の外面を取り囲むように配設されるため、バンドがタイトに配設されれば、バンドは箱体の一つの面に密着されてしまう。この場合、ユーザーは、バンドと箱体の一つの面との間を強制的に拡開させながら指を入れなければならず、バンドの弾性力が足りない場合、バンドと箱体の一つの面との間に指が圧着されることにより事故が発生する虞がある。
【０００４】
このような問題を解消するために、バンドを用いることなく、箱体の一つの面に指が嵌入可能な孔を形成する方法も用いられたが、孔が形成されることにより、箱体の内部空間が外部と連通され、これにより、箱体の内部に保管されている物品が汚れたり損傷されたりするという問題が発生する。
【発明の概要】
【発明が解決しようとする課題】
【０００５】
本発明は上述したような従来の技術の問題を解消するために案出されたものであり、本発明の目的は、把持部が設けられる上面を内側に凹ませて、把持部と上面との間に指嵌入空間を自然に形成することにより、指嵌入空間を介してユーザーが把持部を把持し易くする包装用箱体を提供することである。
【０００６】
また、本発明の目的は、指を嵌入するための空間を形成するが、上面が密閉力を保った状態で上面を凹ませることにより、内部に保管されている物品に外部の汚染物質が浸透することを防ぐことのできる包装用箱体を提供することである。
【課題を解決するための手段】
【０００７】
本発明の一実施形態に係る包装用箱体は、 少なくとも上面を有し、内部に空間を形成する本体と、前記本体の上面に配設される把持部と、を備え、前記上面は、前記把持部から離間されるように内側に凹み可能に配設されることを特徴とする。
【０００８】
具体的に、前記上面は、前記本体の内部空間を密閉しながら内側に凹んでもよい。
具体的に、前記把持部は、前記本体を取り囲むバンド状のものであってもよい。
具体的に、前記上面は、折畳み線が形成される一対の折畳み部を備えていてもよい。
具体的に、前記上面は、前記一対の折畳み部を繋ぐ繋ぎ部を更に備えていてもよい。
具体的に、前記折畳み線は、左右対称状であり、前記上面の外側部分から前記上面の中央部分に集まるように設けられてもよい。
具体的に、前記本体は、前記上面から下側に延びる側面と、前記側面の下端に設けられる下面と、を備えていてもよい。
【発明の効果】
【０００９】
本発明に係る包装用箱体は、上面に折畳み線を形成してユーザーの押圧により上面を内側に凹ませて、上面と把持部とが互いに離間してユーザーの指を嵌入し易くすることにより、ユーザーの使い勝手を大幅に向上させることができる。
【００１０】
また、本発明に係る包装用箱体は、指嵌入空間を形成するために上面が凹むときに上面が密閉力を保つようにして、内部空間を外部と十分に遮蔽することにより、汚染物質の流入を効率よく防いでユーザーの満足度を極大化させることができる。
【図面の簡単な説明】
【００１１】
【図１】本発明の一実施形態に係る包装用箱体の上面図である。
【図２】本発明の一実施形態に係る包装用箱体の上面図である。
【図３】本発明の一実施形態に係る包装用箱体の斜視図である。
【図４】本発明の一実施形態に係る包装用箱体の側断面図である。
【図５】本発明の一実施形態に係る包装用箱体の展開図である。
【発明を実施するための形態】
【００１２】
本発明の目的、特定のメリット及び新規な特徴は添付図面と結び付けられる以下の詳細な説明及び好適な実施形態からなお一層明らかになるであろう。この明細書における各図面の構成要素に参照符号を付するに当たって、同じ構成要素に限ってはたとえ異なる図面の上に表示されているとしても、できる限り同じ番号を付していることに留意すべきである。なお、本発明を説明するに当たって、関連する公知の技術に関する具体的な説明が本発明の要旨を曖昧にする虞があると認められる場合にはその詳細な説明を省略する。
【００１３】
以下、添付図面に基づいて、本発明の好適な実施形態について詳細に説明する。
図１及び図２は、本発明の一実施形態に係る包装用箱体の上面図であり、図３は、本発明の一実施形態に係る包装用箱体の斜視図であり、図４は、本発明の一実施形態に係る包装用箱体の側断面図である。このとき、図１は、上面１１が凹む前の状態を示し、図２は、上面１１が凹んだ後の状態を示す。
また、図５は、本発明の一実施形態に係る包装用箱体の展開図である。
図１から図５を参照すると（１３）、本発明の一実施形態に係る包装用箱体１は、本体１０と、把持部２０と、を備える。
【００１４】
本体１０は、少なくとも上面１１を有し、内部に空間を形成する。本体１０は、上面１１とともに側面１２及び下面１３を備えていてもよく、側面１２は、上面１１から下側に延び、下面１３は、側面１２の下端に設けられてもよい。
これにより、本体１０は六面体状に設けられてもよく、内部に空間を形成して様々な物品を内部に保管することができる。このとき、本発明は、本体１０の内部に収容される物品の形状や種類などを特に限定しない。
【００１５】
もちろん、本発明の一実施形態に係る包装用箱体の本体１０は、六面体に加えて、八角柱や円柱などの様々な形状を呈してもよく、且つ、球状を呈してもよい。但し、本発明の実施形態の本体１０が球状を呈する場合には、上面１１が曲面状に形成されてもよく、このとき、把持部２０は上面１１の少なくとも一部に密着されるように設けられてもよい。
本体１０は、紙などの材質により製作されてもよく、これに加えて、プラスチックや金属などの様々な材質により製作されてもよい。但し、本体１０は、後述する折畳み線１１１に沿って折り畳まれても、破れたり折れたりしない材質により製作されることが好ましい。
【００１６】
本体１０の上面１１は、内側に凹み可能に配設されてもよい。上面１１には把持部２０が配設され、把持部２０は、上面１１に密着されるように設けられてもよいが、上面１１が凹むことにより、上面１１は把持部２０から離間される。
【００１７】
このとき、上面１１と把持部２０との間の空間は、指嵌入空間１５と定義可能であり、ユーザーは、凹んだ上面１１と把持部２０との間に形成される指嵌入空間１５に指２を嵌入した後、把持部２０を把持して包装用箱体１を手軽に持ち上げることができる。
【００１８】
上面１１の凹み方向は、把持部２０から遠ざかる方向であり、図４を基準として下方であってもよい。このとき、上面１１は、本体１０の内部空間１４を密閉しながら内側に凹んでもよい。すなわち、上面１１は、凹む過程において破れたり穴が形成されたりせず、これは、上面１１に折畳み線１１１が形成されると同時に、本体１０の材質が折畳み可能な材質により製作されることにより可能になる。
【００１９】
このため、本発明の実施形態によれば、上面１１を凹ませても内部空間１４に外部から汚染物質が浸透することを極力抑えることができる。例えば、本発明の実施形態によれば、内部空間１４に果物などの食品が保管されているとき、外部から虫などが入ることを防ぎながらも把持部２０の使用を実現することができる。
【００２０】
上面１１は、折畳み部１１２及び繋ぎ部１１３を備えていてもよい。図５に示すように、上面１１は、複数の構成要素が重なり合うことにより内部空間１４の上方を密閉することができるが、具体的に、上面１１は、一対の折畳み部１１２及び一対の繋ぎ部１１３を備えていてもよい。
【００２１】
このとき、一対の繋ぎ部１１３の上方に一対の折畳み部１１２が交差状に配置されてもよく、一対の折畳み部１１２には折畳み線１１１が形成されてもよい。折畳み線１１１は、上面１１が凹んでも所定の形状を保つようにして、上面１１が内側に余計に潰れて内部空間１４に収容された物品を破損することを防ぐことができる。
【００２２】
一方の折畳み部１１２には折畳み線１１１の一部が形成されてもよいが、このとき、一方の折畳み部１１２に設けられる折畳み線１１１の形状は、折畳み線１１１の全体的な形状に応じて異なる。
【００２３】
例えば、折畳み線１１１が双曲線状であれば、一方の折畳み部１１２に設けられる折畳み線１１１は曲線状であってもよく、折畳み線１１１がＸ字状又は対向台形などの形状であれば、一方の折畳み部１１２に設けられる折畳み線１１１は直線状であってもよっく、折り曲げられた直線状であってもよい。
【００２４】
折畳み線１１１は双曲線の形状を呈してもよく、上面１１の中央部分から凸な形状を呈してもよい。このため、ユーザーにより上面１１が押圧されるとき、折畳み部１１２が自然に折り畳まれる。もちろん、折畳み線１１１は双曲線の形状ではなく、上面１１の対角線状に設けられてもよく、上面１１の凹みが所定量行われる限り、いかなる形状であっても構わない。
【００２５】
例えば、折畳み線１１１は左右対称状であり、上面１１の外側部分において中央部分に集まる形状であってもよく、上述した双曲線状やＸ字状に加えて、対向台形などの様々な形状を呈してもよい。
【００２６】
繋ぎ部１１３及び折畳み部１１２は互いに面接触され、接着剤などにより貼り合わせられてもよい。又は、折畳み部１１２が折畳み線１１１に沿って折り畳みながら繋ぎ部１１３の面に沿って滑るように、繋ぎ部１１３及び折畳み部１１２は単に面接触されるように配設され、貼り合わせられなくてもよい。
【００２７】
繋ぎ部１１３には折畳み線１１１が形成されなくてもよく、もちろん、繋ぎ部１１３にも折畳み部１１２の折畳み線１１１が形成される個所と対応する個所に折畳み線１１１が形成されてもよい。但し、繋ぎ部１１３の折畳み方向と折畳み部１１２の折畳み方向とが異なる場合もあるが、繋ぎ部１１３に設けられる折畳み線１１１は、折畳み部１１２に設けられる折畳み線１１１とは異なる形状であってもよい。
【００２８】
もちろん、上面１１は折畳み部１１２のみにより形成されてもよいが、この場合、上面１１を円滑に密閉するためには、折畳み部１１２が互いに所定の部分重なり合うように配置されてもよい。但し、本発明の実施形態においては、繋ぎ部１１３を付設することにより、折畳み部１１２が折り畳まれるときに上面１１の密閉力を十分に保つことができる。
【００２９】
本体１０の側面１２は、本体１０が六面体である場合、合計で４面により構成されてもよい。図５を参照すると（１３）、側面１２は一方向に互いに繋がっている４つの面により構成され、一方の端には一つの側面１２を他の隣り合う側面１２に繋ぐための貼合部１３１が設けられてもよい。
【００３０】
貼合部１３１には接着剤などが設けられてもよく、貼合部１３１が設けられた側面１２と隣り合う側面１２に貼合部１３１の接着面が付着して４つの面により構成された側面１２が本体１０の周りを形成するようにしてもよい。或いは、貼合部１３１が側面１２と重なり合うように配置され、ステープラーなどの様々な固定手段を用いて貼合部１３１が側面１２に結合されるようにしてもよい。
【００３１】
側面１２は、内部空間１４を形成するために、３以上の面により構成されてもよく、一方の側に上述した貼合部１３１が配設されてもよい。貼合部１３１は一方の側に１つ設けられてもよく、両側に２以上設けられてもよい。
【００３２】
図５に示すように、側面１２は複数の面が折り畳まれ、貼合部１３１により繋がることにより形成されてもよく、これに加えて、複数の面がいずれも別途に設けられ、貼合部１３１によりそれぞれ繋がることにより形成されてもよい。すなわち、本発明の実施形態は、側面１２の形成構造を特に限定しない。
【００３３】
また、側面１２は平面又は曲面であってもよく、これは、本体１０の形状に応じて種々に決定される。但し、側面１２は、上面１１と下面１３を繋ぎながら内部空間１４を取り囲むような形状を呈する。
【００３４】
側面１２は撓み可能な材質により製作されてもよく、これは、上面１１が内側に凹むときに上面１１の断面積が小さくなる虞があるためである。すなわち、上面１１が凹む場合、上面１１の断面積は小さくなり、下面１３の断面積は一定に保たれることにより、側面１２は下端から上端に向かって進むにつれて内側に撓まれる。
【００３５】
下面１３は、上面１１の反対側に位置し、上面１１及び側面１２とともに内部空間１４を密閉する。下面１３は、図５に示すように、４つの羽根部１３１により構成されてもよく、各羽根部１３１は側面１２を構成する各面に延びるように形成されてもよい。
このとき、羽根部１３１は、側面１２から内側に向かって折り畳まれるように設けられ、羽根部１３１が互いに折り畳まれながら下面１３を形成する構造及び方法は、一般的に広く知られている箱体の構造と同一又は略同一であるため、それについての詳細な説明は省略する。
【００３６】
但し、本発明の実施形態の下面１３は、羽根部１３１の組立てにより形成されるか、或いは、一つの平面状に設けられる。すなわち、下面１３は一つの平面状に設けられ、側面１２に接着又は組立てなどの様々な方法により結合可能である。
【００３７】
このように、本発明の実施形態は、上面１１と、側面１２及び下面１３を備えて内部空間１４を形成し、上面１１に設けられた把持部２０をユーザーが把持し易くするために上面１１を内側に凹ませて、ユーザーの使い勝手を大幅に向上させることができる。
【００３８】
把持部２０は、本体１０の上面１１に配設される。把持部２０は、本体１０の上面１１に密着されるように配設されてもよく、本体１０を取り囲むバンド状であってもよい。このとき、把持部２０は複数設けられ、上面１１において互いに交差されてもよい。
【００３９】
把持部２０は、上面１１との遊隔がほとんど又は全くないように本体１０を取り囲んでもよい。このとき、ユーザーは、上面１１と把持部２０との間を強制的に拡開させて指２を入れた後に把持部２０を把持しなければならないため使い勝手が悪かったが、本発明の実施形態に係る包装用箱体には上面１１が凹み可能に配設されるので、上述したような問題が解消される。
【００４０】
把持部２０は、本体１０の下面１３と側面１２のうちの２面及び上面１１をいずれも取り囲む環状のものであってもよく、下面１３を除いて、又は下面１３及び側面１２を除いて設けられる折曲げ線状のものであってもよい。但し、把持部２０は様々な形状に設けられるが、上面１１と密着されるように配設されてもよい。
【００４１】
但し、把持部２０は、本体１０の下面１３を取り囲みながら上面１１に位置するように設けられ、側面１２が４面であるときに側面１２をいずれも取り囲むように複数設けられることにより、包装用箱体１の内部空間１４に収容されている物品の荷重を支持することができる。
【００４２】
このように、本発明の実施形態によれば、把持部２０が上面１１に密着されるように設けられても、上面１１が凹み可能に配設されるので、ユーザーが把持部２０を把持するに当たって難点が全くなく、上面１１が凹むときに内部空間１４の密閉が保たれるようにして物品の商品性の低下などの問題の発生を防ぐことができる。
【００４３】
以上、本発明について具体的な実施形態を挙げて詳細に説明したが、これは本発明を具体的に説明するためのものに過ぎず、本発明はこれに何等限定されるものではなく、本発明の技術的な思想内において当該分野における通常の知識を有する者によりその変形や改良が行えるということはいうまでもない。
【００４４】
本発明の単なる変形又は変更はいずれも本発明の領域に属するものであり、本発明の具体的な保護範囲は添付の特許請求の範囲により明確になる筈である。
【符号の説明】
【００４５】
１  包装用箱体
２  指
１０  本体
１１  上面
１１１  折畳み線
１１２  折畳み部
１１３  繋ぎ部
１２  側面
１２１  貼合部
１３  下面
１３１  羽根部
１４  内部空間
１５  指嵌入空間
２０  把持部
【図１】
0006594425.tif 000002
【図２】
0006594425.tif 000003
【図３】
0006594425.tif 000004
【図４】
0006594425.tif 000005
【図５】
0006594425.tif 000006